(57)【特許請求の範囲】
【請求項１】
点灯点滅式表示部と、照度に連動して前記点灯点滅式表示部が自動的に点灯と消灯を行なうためのＥ．Ｅスイッチ部とを備え、一般に暗くなるとＯＮになって前記点灯点滅式表示部が点灯し、明るくなるとＯＦＦになって前記点灯点滅式表示部が消灯するように設定された点灯点滅式交通安全用品において、外部よりの圧力により接触して電気を前記点灯点滅式表示部に供給する圧力スイッチ部と、すべての機能を管理するために必要な電子回路が組み込まれたコントロール部と、前記点灯点滅式表示部の電源となる電池部と、本体内部の保護と製品全体を包含し製品の安全と外観美を保持するためのカバーケース部とを備えたことを特徴とする点灯点滅式交通安全用品。
【請求項２】
点灯点滅式表示部と、照度に連動して前記点灯点滅式表示部が自動的に点灯と消灯を行なうためのＥ．Ｅスイッチ部とを備え、一般に暗くなるとＯＮになって前記点灯点滅式表示部が点灯し、明るくなるとＯＦＦになって前記点灯点滅式表示部が消灯するように設定された点灯点滅式交通安全用品において、外部よりの圧力により接触して電気を前記点灯点滅式表示部に供給する圧力スイッチ部と、すべての機能を管理するために必要な電子回路が組み込まれたコントロール部と、前記点灯点滅式表示部の電源となる電池部と、本体内部の保護と製品全体を包含し製品の安全と外観美を保持するためのカバーケース部と、前記点灯点滅表示部の動作に連動し環境変化で照度が暗くなった場合には一定時間動作した後に停止するように、また電池寿命が近づいた場合には連続動作をするようにして機能動作状態を利用者に音で報知する音響報知部と、前記圧力スイッチ部と連動する電池残量確認スイッチ部とを備え、前記電池残量確認スイッチ部をＯＮにした場合には前記Ｅ．Ｅスイッチ部に関係なく同様の機能動作を行ない音で電池残量状態を報知するように構成したことを特徴とする点灯点滅式交通安全用品。
【請求項３】
点灯点滅式表示部と、照度に連動して前記点灯点滅式表示部が自動的に点灯と消灯を行なうためのＥ．Ｅスイッチ部とを備え、一般に暗くなるとＯＮになって前記点灯点滅式表示部が点灯し、明るくなるとＯＦＦになって前記点灯点滅式表示部が消灯するように設定された点灯点滅式交通安全用品において、外部よりの圧力により接触して電気を前記点灯点滅式表示部に供給する圧力スイッチ部と、すべての機能を管理するために必要な電子回路が組み込まれたコントロール部と、前記点灯点滅式表示部の電源となる電池部と、本体内部の保護と製品全体を包含し製品の安全と外観美を保持するためのカバーケース部と、前記点灯点滅表示部の動作に連動し環境変化で照度が暗くなった場合には一定時間動作した後に停止するように、また電池寿命が近づいた場合には連続動作をするようにして機能動作状態を利用者に振動で報知する振動報知部と、前記圧力スイッチ部と連動する電池残量確認スイッチ部とを備え、前記電池残量確認スイッチ部をＯＮにした場合には前記Ｅ．Ｅスイッチ部に関係なく同様の機能動作を行ない振動で電池残量状態を報知するように構成したことを特徴とする点灯点滅式交通安全用品。
【請求項４】
点灯点滅式表示部と、照度に連動して前記点灯点滅式表示部が自動的に点灯と消灯を行なうためのＥ．Ｅスイッチ部とを備え、一般に暗くなるとＯＮになって前記点灯点滅式表示部が点灯し、明るくなるとＯＦＦになって前記点灯点滅式表示部が消灯するように設定された点灯点滅式交通安全用品において、外部よりの圧力により接触して電気を前記点灯点滅式表示部に供給する圧力スイッチ部と、すべての機能を管理するために必要な電子回路が組み込まれたコントロール部と、前記点灯点滅式表示部の電源となる電池部と、本体内部の保護と製品全体を包含し製品の安全と外観美を保持するためのカバーケース部とを備え、該カバーケース部は、ランドセルとして構成され、該ランドセルの肩ベルトに前記圧力スイッチ部が設けられたことを特徴とする点灯点滅式交通安全用品。
【請求項５】
点灯点滅式表示部と、照度に連動して前記点灯点滅式表示部が自動的に点灯と消灯を行なうためのＥ．Ｅスイッチ部とを備え、一般に暗くなるとＯＮになって前記点灯点滅式表示部が点灯し、明るくなるとＯＦＦになって前記点灯点滅式表示部が消灯するように設定された点灯点滅式交通安全用品において、外部よりの圧力により接触して電気を前記点灯点滅式表示部に供給する圧力スイッチ部と、すべての機能を管理するために必要な電子回路が組み込まれたコントロール部と、前記点灯点滅式表示部の電源となる電池部と、本体内部の保護と製品全体を包含し製品の安全と外観美を保持するためのカバーケース部とを備え、該カバーケース部はハンドバッグとして構成され、該ハンドバッグの把手に前記圧力スイッチ部が設けられたことを特徴とする点灯点滅式交通安全用品。
【発明の詳細な説明】
【０００１】
【発明の属する技術分野】
本発明は、特に環境変化での照度を検知して点灯点滅表示を行ない、暗闇の中で存在の状態を視覚表示し、さらに利用者には当該用品の機能動作状態を、聴覚と、触覚とにより報知を行ない、交通事故等の災害から事前に身を守る点灯点滅式交通安全用品に関する。
【０００２】
【従来の技術】
暗闇の中で、交通事故等の災害から身を守る用具として、ガラスビーズを用いた反射シートがある。しかし、光が当らない位置では死角になり機能しない欠点がある。
他に蓄光材料を用いたシートがある。  しかし、暗闇の中で使用できる時間は１〜２時間と短くまた視認できる距離も１０ｍ位と極端に短い欠点がある。
しかし、交通災害から事前に身を守ってくれる交通安全用品の提供は重要で、また渇望されている。
【０００３】
点灯点滅表示式の用具として、手動スイッチによるＯＮ−ＯＦＦ式のものがあり、必要に応じ点灯点滅を行なわせ、交通事故等の災害から事前に身を守る用具として利用されている。
【０００４】
【発明が解決しようとする課題】
しかし、従来のガラスビーズを用いた反射シートは死角では機能しないことと、蓄光材料を用いたシートは使用時間と、視認距離の問題、また手動スイッチ式点灯点滅式用具は手動スイッチ操作が煩わしい問題と、スイッチの切り忘れにより無駄に電気を消費する問題がある。
更に、実務中心で使用用途と形態に応じて子供達が好んで使用するような形状品はない。
【０００５】
【課題を解決する為の手段】
上記の問題点を解決する為に本発明は、蓄光材料シートと、反射シートによる報知方式、あるいは手動スイッチ式による点灯点滅方式を止め、照度に連動して自動的に点灯と消灯を行うＥ．Ｅスイッチに圧力スイッチを連動させる自己発光方式による検知報知方式とした。
更に、使用用途と形態に応じ実務中心あるいは玩具的要素を容易に加えられて、子供達が興味をそそり使ってみたいと思うような遊び心を持たせた玩具的要素を付加したことにより、子供達にも親しみ易く、また、交通災害から事前に安全と、安心と、そして自然に身を守ってくれるようにする。
【０００６】
【発明の実施の形態】
次に、本発明の実施の形態について、添付図面を参照して、交通災害から事前に安全と、安心と、そして自然に身を守ってくれる点灯点滅式交通安全用品を詳細に説明する。
図１は正面全体図、図２は一部破断を含む縦断面図、図３は圧力スイッチ部の拡大縦断面図、図４は電気回路ブロック図である。
【０００７】
Ｅ．Ｅスイッチ部２は、照度によりＯＮ−ＯＦＦする機能を持ち一般的には暗くなるとＯＮ明るくなるとＯＦＦになるような機能になっている。
当該用品では、圧力スイッチ部３からのＯＮ伝達により作動するように設定されているが常時作動させておく方式でも良く固守するものではない。
【０００８】
圧力スイッチ部３は、電気良導片３−ａと電気良導片３−ｂとの端子からなり、各々離れた状態で保持され、外部よりの圧力により接触し電気を供給する。なお、材料としては電気伝導性が要求される。また、圧力による変形を防止するため剛性と弾性を備えた物が望ましい。
【０００９】
コントロール部５は、すべての機能を管理するために必要な電子回路が組み込まれている。Ｅ．Ｅスイッチ部２に連動し、点灯点滅表示部８を動作させる機能と、環境変化で照度が暗くなった場合には一定時間動作した後に停止する方法で、また、電池寿命が近づいた場合には連続動作をする方法で、振動報知部９と、音響報知部１０を動作させる機能と、電池残量確認スイッチ部４をＯＮにした場合に同様の動作をさせる機能と、点灯点滅部８の点灯形態をコントロールするところで、点灯点滅の時間的間隔、及び点灯点滅をサークル状にしたりマーク状にする等の調整を管理するところである。
【００１０】
電池部６は、点灯点滅表示部８と、振動報知部９と、音響報知部１０と、コントロール部５の電源であり、ここでは乾電池を用いているが、乾電池に固守するものではなく、太陽電池等携帯用に適するものであればよい。
【００１１】
点灯点滅部８は、暗闇の中で５０ｍ以上離れた所より目視確認のできる、照度を得られる点灯品で有れば良く、形状や、発色に固守するものではない。
【００１２】
電池残量確認スイッチ部４は、特別な機能として設けてあり外部側に配置された釦を押すことによりＯＮとなる手動式スイッチで、ＯＮにするとＥ．Ｅスイッチ部２に関係なく電池残量状態を伝導し点灯点滅表示部８と、振動報知部９と、音響報知部１０とに電池の状態及び照度による環境変化の機能動作に応じた報知を行わせるところである。
【００１３】
振動報知部９は、超小型モーターが使用されており、点灯点滅表示部８に連動し、環境変化で照度が暗くなった場合には一定時間動作した後に停止する方法で、また、電池寿命が近づいた場合には連続動作をする方法により、当該用品の機能動作状態を振動による触覚を利用して、特に利用者に対する触覚官能報知を行うところである。
【００１４】
音響報知部１０は、超小型スピーカーが使用されており、点灯点滅表示部８に連動し、環境変化で照度が暗くなった場合には一定時間動作した後に停止する方法で、また、電池寿命が近づいた場合には連続動作をする方法により、当該用品の機能動作状態を音響による聴覚を利用して、特に利用者に対する聴覚官能報知を行うところである。
【００１５】
カバーケース部７は、本体内部の保護と製品全体を体裁良く包含し、製品の安全と外観美を保持し商品価値を高める為のものである。
そして図１に示す実施例では、カバーケース部７は、ステッキ１Ａとして構成され、その握り部１ａに圧力スイッチ部３が設けられている。
また図５に示す実施例では、カバーケース部１７は、ランドセル１Ｂとして構成され、その肩ベルト１１ａに圧力スイッチ部１３が設けられている。
また図６に示す実施例では、カバーケース部２７は、ハンドバッグ１Ｃとして構成され、その把手２１ａに圧力スイッチ部２３が設けられている。
また使用用途と形態に応じ実務中心あるいは玩具的要素を容易に加えられ、子供達が十分に興味を示す商品形態にも出来るようになっている。
材料については、材質、形状、色、肌合、等実務中心あるいは子供達からの色々な要望に対応出来なければならない、例えば、動物、魚、ＵＦＯ等の空想物体、造形物等色々なニーズに応え、また、表現が出来る材料が要求される。このように、形状、材質、色、仕上げ面等は多方面にわたるものであって、一つの物に限定や固守するものではない。
【００１６】
【発明の効果】
本発明は、以上説明したような形態で実施され、以下に記載されるような効果を奏する。
【００１７】
点灯点滅表示部に連動し、使用環境が暗くなった場合は一定時間動作した後に停止、電池寿命が近づいた場合は連続動作する方法で、振動と音響により利用者に報知する機能を付加したことにより、視覚と、聴覚と、触覚で当該用品の機能動作状態が容易に判断出来るため、多くの人達の利用を可能にした。
【００１８】
自己発光方式を利用した点灯点滅部を取り付けることにより、ガラスビーズを用いた場合の光が当らない位置では死角となり機能しないという欠点を解消した。
【００１９】
自己発光方式を利用した点灯点滅部を取り付けることにより、蓄光材料を用いた場合の短寿命と、視認できる距離が短いという欠点を解消した。
【００２０】
Ｅ．Ｅスイッチに圧力スイッチを使用した自己発光方式による点灯点滅部を取り付けたことにより、手動スイッチ式点灯点滅用具の手動スイッチ操作が煩わしい欠点と、スイッチの切り忘れにより無駄に電気を消費するという欠点を解消した。
【００２１】
Ｅ．Ｅスイッチに関係なく、当該用品を動作させる機能を備えた電池残量確認スイッチを取り付けたことにより、当該用品の機能が正常あるいは異常を確認できるため、当該用品を使用中に機能が利用できない、または故障している等の確認に威力を発揮する。なお、使用前確認により、このような異常事態発生を未然に防止ができるため安心して使用できる。
【図面の簡単な説明】
【図１】当該用品の正面全体図である。
【図２】当該用品の一部破断を含む、縦断面図である。
【図３】当該用品の圧力スイッチ部の拡大縦断面図である。
【図４】当該用品の電気回路ブロック図である。
【図５】当該用品の形態と形状を変更し、ランドセルへの装着状態を示す応用例の図である。
【図６】当該用品の形態と形状を変更し、ハンドバッグへの装着状態を示す応用例の図である。
【符号の説明】
１．１１．２１．  点灯点滅式交通安全用品
２．１２．２２．  Ｅ．Ｅスイッチ部
３（３ａ，３ｂ）．１３．２３．  圧力スイッチ部
４．１４．２４．  電池残量確認スイッチ部
５．１５．２５．  コントロール部
６．１６．２６．  電池部
７．１７．２７．  カバーケース部
８．１８．２８．  点灯点滅表示部
９．１９．２９．  振動報知部
１０．２０．３０．  音響報知部
１Ａステッキ
１Ｂランドセル
１Ｃハンドバッグ
１ａ握り部
１１ａ肩ベルト
２１ａ把手
【図１】
0004035478.tif 000002
【図２】
0004035478.tif 000003
【図３】
0004035478.tif 000004
【図４】
0004035478.tif 000005
【図５】
0004035478.tif 000006
【図６】
0004035478.tif 000007